(57)【要約】      （修正有）【課題】高周波装置等に利用されるルツボにおいて、熱処理直後であっても安全に取り扱うことができ、また比較的安価なルツボを提供する。【解決手段】高周波装置用の試料調製用のルツボであって、上部鍔部、截頭円錐状の側部及び平坦底部を有してなり、石英を素材とすることを特徴とする。使用態様には、試料作製用のルツボとしての使用、白金皿やその他のルツボのホルダーとしての使用、実験室等で実施されるガスバーナーなどの熱源で加熱して行う試料調製での使用がある。これにより、熱処理中の安定性が図られ、高温となったものも安全に操作することができる。【選択図】図１
0003190620.tif 000002
【実用新案登録請求の範囲】
【請求項１】
高周波装置用の試料調製用の皿（るつぼ）であって、上部鍔部、截頭円錐状の側部及び平坦底部を有し、石英を素材とすることを特徴とする皿（るつぼ）。
【考案の詳細な説明】
【技術分野】
【０００１】
本考案は、岩石、土壌、鉄鉱石などの試料を溶解し蛍光Ｘ線分析、ＩＣＰ分析などに用いられる均質なサンプルを作成するための処理治具に関し、詳しくは、試料調製用に利用される皿（るつぼ）に関する。
【背景技術】
【０００２】
従来、鉄鉱石、スラッグ、セメント、レンガ等の酸化物試料を蛍光Ｘ線分析、ＩＣＰ分析等の分析をする場合、試料調製には、マトリックス効果の影響を受けることなく高感度分析する方法として、ガラスビード法が知られている。
【０００３】  例えば、蛍光Ｘ線分析用ガラスビード試料作製装置（公序良俗違反につき、不掲載）などの、前処理装置を使用して試料調製が行われている。【０００４】
そして、試料調製には、特許文献１に示されるような皿（るつぼ）が用いられているが、皿（るつぼ）の材料は、白金−金の合金材料等高価な材料で作られるため、製作費用が高く付くという難点があった。
【０００５】
前掲の前処理装置、ビード＆フェーズサンプラは、高周波誘導加熱方式による蛍光Ｘ線分析用ガラスビード作成、及びＩＣＰ／ＡＡ分析用アルカリ融解を行う試料前処理装置であり、白金皿（るつぼ）以外にも、ＮｉやＺｒのるつぼを使用することができる。又、近年は核燃料の処理用として使われている。
【０００６】
試料調製のため、それらの前処理装置にかけ、加熱処理した直後の皿（るつぼ）は高熱となり、その取り扱いには注意を要するものであった。
【０００７】
さらには、実験室レベルでの試料調製においては、陶器製等のバットに皿（るつぼ）を載置し、直火で加熱することも行われているが、加熱中、バットの上で皿（るつぼ）が不安定になりがちで危険が伴うこと、また加熱直後の高温状態の皿（るつぼ）の取り扱いにも危険が伴うものであった。
【先行技術文献】
【特許文献】
【０００８】
【特許文献１】実公平５−２５７０９号公報
【考案の概要】
【考案が解決しようとする課題】
【０００９】
本考案は、上記のような従来技術が抱える問題を解決し、高周波装置等に利用される熱処理直後のものであっても安全に取り扱うことができ、比較的安価な皿（るつぼ）を提供し分析費用を低く抑えることを課題とする。
【課題を解決するための手段】
【００１０】
本考案に係る皿（るつぼ）は、素材として石英を使用することを特徴とし、以下の技術を基礎とする。
【００１１】
高周波装置用の試料調製用の皿（るつぼ）であって、上部鍔部、截頭円錐状の側部及び平坦底部を有し、石英を素材とすることを特徴とする皿（るつぼ）。
【考案の効果】
【００１２】
本考案に係る石英皿（るつぼ）を用いることによって、高価な白金−金合金皿（るつぼ）を使用する場合に比べ、費用の低減を図ることができる。
比較的小型の白金皿（るつぼ）を本案の石英皿（るつぼ）内に挿入し、ホルダーとして使用する使い方もできるし、少量試料の場合には、試料の入った小型皿（るつぼ）を石英製のアダプターに載置し、アダプターを石英皿（るつぼ）内に挿入して使用することもできる。
ホルダーとして使用することにより、熱処理中の安定性が図られ、熱処理後の高温となった皿（るつぼ）を安全に操作することができる。
【図面の簡単な説明】
【００１３】
【図１】図１は、本考案に係る石英皿（るつぼ）の一実施例を示す図である。
【００１４】
【図２】図２は、本考案に係る石英皿（るつぼ）に試料用の皿（るつぼ）を載置してなる使用例を示す図である。
【００１５】
【図３】図３は、本考案に係る石英皿（るつぼ）に使用されるアダプターを示す図である。
【００１６】
【図４】図４は、図３のアダプターを使用し、小型皿（るつぼ）を載置して石英皿（るつぼ）に挿入した状態を、側面から見た図である。
【００１７】
【図５】図５は、皿（るつぼ）をバットに載せ、バットを直にガスバーナー又は電気炉で加熱を行う状態を示す図である。
【考案を実施するための形態】
【００１８】
本考案に係る皿（るつぼ）は、石英を素材として製作し、既存の前処理装置に適用される皿（るつぼ）の大きさ（ＪＩＳ規格のもの）に準ずる。
【実施例】
【００１９】
本考案の実施例を図に基づいて具体的に説明するが、本考案はこの実施例に制限されるものではない。
【００２０】
図１は、本考案に係る石英皿（るつぼ）１の一実施例を示す。
第一の使用態様としては、試料原料を挿入し、試料作製用の皿（るつぼ）として使用する。試料の種類、量等によっては、必ずしも白金皿（るつぼ）を使用する必要がない場合、石英皿（るつぼ）そのものを試料挿入用の皿（るつぼ）として使用する。高価な皿（るつぼ）に代えることによって、費用の低減が図られる。
【００２１】
第二の使用態様としては、本考案の石英皿（るつぼ）は、白金皿（るつぼ）やその他の皿（るつぼ）のホルダーとして使用することができる。試料挿入用の小型皿（るつぼ）を石英皿（るつぼ）に装着し、二重構造とした状態で、前処理装置にかける。図２は、ホルダーとして使用し、試料挿入皿（るつぼ）を装着した状態を示している。その場合、石英皿（るつぼ）は外側のホルダーとして機能するため、試料の加熱によってダメージを受けず、繰り返し使用が可能である。
【００２２】
図３は、石英皿（るつぼ）に挿入して使用するアダプターである。この図は、３個掛けのアダプターを示しており、３個の小型皿（るつぼ）を保持用孔５に装着し、保持させて使用する。図４は、３個掛けのアダプターに、３個の小型皿（るつぼ）を載置し、石英皿（るつぼ）に装着した状態を側面から見たものである。
【００２３】
第三の使用態様としては、実験室等で実施されるガスバーナーなどの熱源で加熱して行う試料調製に使用する。図５は、石英皿（るつぼ）をバットに載せ、バットを直にガスバーナー又は電気炉で加熱を行う状態を示している。石英皿（るつぼ）をホルダーとして使用することにより、加熱中の安定性、加熱終了後の高熱となった皿（るつぼ）の取り扱い時の危険性が減少される。
【産業上の利用可能性】
【００２４】
本考案に係る石英皿（るつぼ）は、鉄鉱石、セラミック、セメント、底質土壌、岩石等の試料調製に用いることができ、蛍光Ｘ線分析用の試料調製（ガラスビードの作成）のみならず、ＩＣＰ分析、ＡＡ分析の試料調製（アルカリ溶融等）にも使用可能である。
また、小型皿（るつぼ）のホルダーとして有効に機能し、実用的な利用可能性が高いものである。
【００２５】
さらに、核燃料の処理用など危険性が伴う環境下での使用に、応用の可能性が期待できる。
【符号の説明】
【００２６】
１  石英皿（るつぼ）
２  皿（るつぼ）
３  アダプター
４  保持板
５  皿（るつぼ）保持用孔
６  支持部
７  底板部
８  把手
９  バット（陶器）
１０  加熱装置
【図１】
0003190620.tif 000003
【図２】
0003190620.tif 000004
【図３】
0003190620.tif 000005
【図４】
0003190620.tif 000006
【図５】
0003190620.tif 000007
【手続補正書】
【提出日】平成26年3月6日(2014.3.6)
【手続補正１】
【補正対象書類名】実用新案登録請求の範囲
【補正対象項目名】全文
【補正方法】変更
【補正の内容】
【実用新案登録請求の範囲】
【請求項１】
高周波装置用の試料調製用のルツボであって、上部鍔部、截頭円錐状の側部及び平坦底部を有し、石英を素材とすることを特徴とするルツボ。
【手続補正２】
【補正対象書類名】明細書
【補正対象項目名】全文
【補正方法】変更
【補正の内容】
【考案の詳細な説明】
【技術分野】
【０００１】
本考案は、岩石、土壌、鉄鉱石などの試料を溶解し蛍光Ｘ線分析、ＩＣＰ分析などに用いられる均質なサンプルを作成するための処理治具に関し、詳しくは、試料調製用に利用されるルツボに関する。
【背景技術】
【０００２】
従来、鉄鉱石、スラッグ、セメント、レンガ等の酸化物試料を蛍光Ｘ線分析、ＩＣＰ分析等の分析をする場合、試料調製には、マトリックス効果の影響を受けることなく高感度分析する方法として、ガラスビード法が知られている。
【０００３】
ガラスビード試料は、例えば蛍光Ｘ線分析機器の前処理装置を使用して、試料調製が行われている。
【０００４】
そして、試料調製には、特許文献１に示されるような形状の皿が用いられているが、皿の材料は、白金−金の合金材料等高価な材料で作られるため、製作費用が高く付くという難点があった。
【０００５】
前掲の前処理装置の一つは、高周波誘導加熱方式による蛍光Ｘ線分析用ガラスビード作成、及びＩＣＰ／ＡＡ分析用アルカリ融解を行う試料前処理装置であり、白金皿以外にも、ＮｉやＺｒの皿を使用することができる。又、近年は核燃料の処理用として使われている。
【０００６】
試料調製のため、それらの前処理装置にかけ、加熱処理した直後の皿は高熱となり、その取り扱いには注意を要するものであった。
【０００７】
さらには、実験室レベルでの試料調製においては、陶器製等のバットに皿を載置し、直火で加熱することも行われているが、加熱中、バットの上で皿が不安定になりがちで危険が伴うこと、また加熱直後の高温状態の皿の取り扱いにも危険が伴うものであった。
【先行技術文献】
【特許文献】
【０００８】
【特許文献１】実公平５−２５７０９号公報
【考案の概要】
【考案が解決しようとする課題】
【０００９】
本考案は、上記のような従来技術が抱える問題を解決し、高周波装置等に利用される熱処理直後のものであっても安全に取り扱うことができ、比較的安価なルツボを提供し分析費用を低く抑えることを課題とする。
【課題を解決するための手段】
【００１０】
本考案に係るルツボは、素材として石英を使用することを特徴とし、以下の技術を基礎とする。
【００１１】
高周波装置用の試料調製用のルツボであって、上部鍔部、截頭円錐状の側部及び平坦底部を有し、石英を素材とすることを特徴とするルツボ。
【考案の効果】
【００１２】
本考案に係る石英ルツボを用いることによって、高価な白金−金合皿を使用する場合に比べ、費用の低減を図ることができる。
比較的小型の白金皿を本案の石英ルツボ内に挿入し、ホルダーとして使用する使い方もできるし、少量試料の場合には、試料の入った小型皿を石英製のアダプターに載置し、アダプターを石英ルツボ内に挿入して使用することもできる。
ホルダーとして使用することにより、熱処理中の安定性が図られ、熱処理後の高温となった皿を安全に操作することができる。
【図面の簡単な説明】
【００１３】
【図１】図１は、本考案に係る石英ルツボの一実施例を示す図である。
【００１４】
【図２】図２は、本考案に係る石英ルツボに試料用の皿を載置してなる使用例を示す図である。
【００１５】
【図３】図３は、本考案に係る石英ルツボに使用されるアダプターを示す図である。
【００１６】
【図４】図４は、図３のアダプターを使用し、小型皿を載置して石英ルツボに挿入した状態を、側面から見た図である。
【００１７】
【図５】図５は、ルツボをバットに載せ、バットを直にガスバーナー又は電気炉で加熱を行う状態を示す図である。
【考案を実施するための形態】
【００１８】
本考案に係るルツボは、石英を素材として製作し、既存の前処理装置に適用されるルツボの大きさ（ＪＩＳ規格のもの）に準ずる。
【実施例】
【００１９】
本考案の実施例を図に基づいて具体的に説明するが、本考案はこの実施例に制限されるものではない。
【００２０】
図１は、本考案に係る石英ルツボ１の一実施例を示す。
第一の使用態様としては、試料原料を挿入し、試料作製用のルツボとして使用する。試料の種類、量等によっては、必ずしも白金皿を使用する必要がない場合、石英ルツボそのものを試料挿入用のルツボとして使用する。高価な皿に代えることによって、費用の低減が図られる。
【００２１】
第二の使用態様としては、本考案の石英ルツボは、白金皿やその他の皿のホルダーとして使用することができる。試料挿入用の小型皿を石英ルツボに装着し、二重構造とした状態で、前処理装置にかける。図２は、ホルダーとして使用し、試料挿入皿を装着した状態を示している。その場合、石英ルツボは外側のホルダーとして機能するため、試料の加熱によってダメージを受けず、繰り返し使用が可能である。
【００２２】
図３は、石英ルツボに挿入して使用するアダプターである。この図は、３個掛けのアダプターを示しており、３個の小型皿を保持用孔５に装着し、保持させて使用する。図４は、３個掛けのアダプターに、３個の小型皿を載置し、石英ルツボに装着した状態を側面から見たものである。
【００２３】
第三の使用態様としては、実験室等で実施されるガスバーナーなどの熱源で加熱して行う試料調製に使用する。図５は、石英ルツボをバットに載せ、バットを直にガスバーナー又は電気炉で加熱を行う状態を示している。石英ルツボをホルダーとして使用することにより、加熱中の安定性、加熱終了後の高熱となった皿の取り扱い時の危険性が減少される。
【産業上の利用可能性】
【００２４】
本考案に係る石英ルツボは、鉄鉱石、セラミック、セメント、底質土壌、岩石等の試料調製に用いることができ、蛍光Ｘ線分析用の試料調製（ガラスビードの作成）のみならず、ＩＣＰ分析、ＡＡ分析の試料調製（アルカリ溶融等）にも使用可能である。また、小型皿のホルダーとして有効に機能し、実用的な利用可能性が高いものである。
【００２５】
さらに、核燃料の処理用など危険性が伴う環境下での使用に、応用の可能性が期待できる。
【符号の説明】
【００２６】
１  石英ルツボ
２  皿
３  アダプター
４  保持板
５  ルツボ保持用孔
６  支持部
７  底板部
８  把手
９  バット（陶器）
１０  加熱装置